(57)【要約】      （修正有）【課題】使用者が装着した状態を維持したまま、複数の人物同士の関係を示すことが可能な環状装身具を提供する。【解決手段】環状に構成された紐状の部材である環状部１０と、環状部における所定の位置に固定される第１連結部１１と、第１連結部と連結可能な第２連結部１３と、一端が第１連結部に接続され、他端が第２連結部に接続された紐状の部材である紐状部１２とを備えた。環状装身具１は、単体で用いられる通常使用時には、第１連結部１１と第２連結部１３とが連結されて紐状部１２は円環状態となっており、他の環状装身具１と連結される連結時には、紐状部１２の円環状態が解除されて、第２連結部１３が他の環状装身具１の第１連結部１１または第２連結部１３に連結される。【選択図】図１
0003197540.tif 000002
【実用新案登録請求の範囲】
【請求項１】
環状に構成された紐状の部材である環状部と、
前記環状部における所定の位置に固定される第１連結部と、
前記第１連結部と連結可能な第２連結部と、
一端が前記第１連結部に接続され、他端が前記第２連結部に接続された紐状の部材である紐状部と
を備える環状装身具。
【請求項２】
前記第１連結部には、第２連結部と連結するための第１連結面が設けられ、
前記第２連結部には、前記第１連結部の第１連結面と連結可能な第１連結面が設けられることを特徴とする請求項１に記載の環状装身具。
【請求項３】
前記第１連結部には、該第１連結部の第１連結面と対向する第２連結面が設けられ、
前記第２連結部には、前記第１連結部の第２連結面、または前記環状装身具と同一に構成された他の環状装身具における第２連結部の第１連結面に連結可能な第２連結面が設けられることを特徴とする請求項２に記載の環状装身具。
【請求項４】
前記第２連結部の第２連結面は、前記他の環状装身具における第１連結部の第２連絡面に連結可能であることを特徴とする請求項３に記載の環状装身具。
【請求項５】
前記第２連結部と連結可能な第３連結部と、
一端が前記第２連結部に接続され、他端が前記第３連結部に接続された紐状の部材である第２紐状部とを更に備えることを特徴とする請求項１乃至請求項４のいずれか一項に記載の環状装身具。
【考案の詳細な説明】
【技術分野】
【０００１】
本考案は、環状に形成された装身具に関する。
【背景技術】
【０００２】
従来、人間の体を装飾するために着装する環状の装身具として、ブレスレット、指輪、ネックレスなどが知られている。また、このような装身具のうち、例えば結婚指輪やペアリングのように、親密な関係にある２名の人物が互いの関係の強固さを象徴するペアアイテムとして用いられることがある。このようなペアアイテムは、その種別に関わらず、２つの装身具間の形状が略同一であるか、２つの装身具の一端同士が形状結合するように構成されているか、または、２つの装身具の一端同士を合わせることで所定の形状が形成されるように構成されていることが一般的である。これらのペアアイテムのうち、後者の２つは、前者と比較して、特に複数の人物の関係の強固さをより強く象徴することを意図したものである。
【０００３】
また、複数の人物の絆を示すブレスレットとして、それぞれが特定の人物に関する誕生石により形成されるビーズからなる２以上の誕生石ビーズが並んだ状態でリング部に通されたブレスレットが知られている（特許文献１）。
【先行技術文献】
【特許文献】
【０００４】
【特許文献１】実用新案登録第３１６３９３３号公報
【考案の概要】
【考案が解決しようとする課題】
【０００５】
しかしながら、上述したペアアイテムのうち、２つの装身具の一端同士が形状結合するように構成されている装身具、及び２つの装身具の一端同士を合わせることで所定の形状が形成されるように構成されている装身具は、単体で使用される際には所定形状の一部分しか示すことができず、単体での使用状態では特定の人物との関係を示すことができない。また、形状結合または形状の形成にあたっては、使用者が装身具を外す必要がある、という問題があった。
【０００６】
そこで、本考案は、このような問題に鑑みてなされたもので、その目的とするところは、使用者が装着した状態を維持したまま、形状結合または所定形状を形成することなく、複数の人物同士の関係を示すことが可能な環状装身具を提供することにある。
【課題を解決するための手段】
【０００７】
上記課題を解決するために、本考案の実施形態は、環状に構成された紐状の部材である環状部と、前記環状部における所定の位置に固定される第１連結部と、前記第１連結部と連結可能な第２連結部と、一端が前記第１連結部に接続され、他端が前記第２連結部に接続された紐状の部材である紐状部とを備える。
【考案の効果】
【０００８】
本考案によれば、使用者が装着した状態を維持したまま、形状結合または所定形状を形成することなく、複数の人物同士の関係を示すことが可能な環状装身具を提供することができる。
【図面の簡単な説明】
【０００９】
【図１】第１の実施形態に係る環状装身具の概略正面図である。
【図２】第１の実施形態に係る環状装身具の概略側面図である。
【図３】第１連結部及び第２連結部の構成を示す模式図である。
【図４】第１の連結方法により連結された環状装身具を示す模式図である。
【図５】第２の連結方法により連結された環状装身具を示す模式図である。
【図６】第２の実施形態に係る環状装身具の概略正面図である。
【図７】第２の実施形態に係る環状装身具の概略側面図である。
【考案を実施するための形態】
【００１０】
以下に添付図面を参照しながら、本考案の好適な実施の形態について詳細に説明する。
【００１１】
＜第１の実施形態＞
（環状装身具の構成）
第１の実施形態に係る環状装身具の構成について、図１〜図３を参照して説明する。図１は、第１の実施形態に係る環状装身具の概略正面図である。図２は、第１の実施形態に係る環状装身具の概略側面図である。図３は、第１連結部及び第２連結部の構成を示す模式図である。なお、本実施形態において、環状装身具はブレスレットを想定し、以降の説明において、使用者の腕が通される挿通方向の一方を前方とし、挿通方向に直交する方向を側方とする。
【００１２】
図１、図２に示すように、本実施の形態に係る環状装身具１は、環状部１０、第１連結部１１、紐状部１２、第２連結部１３を備える。環状部１０は環状に構成された紐状の部材であり、その両端が第１連結部１１に接続されることによって環状に形成される。なお、環状に形成した環状部１０に第１連結部１１が挿通されるように構成しても良い。第１連結部１１は、環状部１０の所定位置に固定され、少なくとも第２連結部１３と連結される。紐状部１２は紐状の部材であり、その一端が第１連結部１１に接続され、他端が第２連結部１３に接続される。なお、紐状の部材としては、絹、綿やポリエステルなどを編んだ組み紐、革、ゴム、可撓性を有するように形成された金属、プラスチックなどが挙げられる。
【００１３】
ここで、第１連結部１１、第２連結部１３の構成について説明する。第１連結部１１、第２連結部１３は、それぞれ、内部にマグネット１１１、マグネット１３１を内蔵する。マグネット１１１、マグネット１３１は、それぞれ、使用者の腕が通される挿通方向に磁極が向くように配される。よって、第１連結部１１はＮ極側に位置する第１連結面１１ａ、Ｓ極側に位置する第２連結面１１ｂを有し、第２連結部１３はＳ極側に位置する第１連結面１３ａ、Ｎ極側に位置する第２連結部面１３ｂを有することとなる。したがって、第１連結部１１の第１連結面１１ａは第２連結部１３の第１連結面１３ａと連結可能となり、第１連結部１１の第２連結面１１ｂは第２連結部１３の第２連結面１３ｂと連結可能となる。
【００１４】
環状装身具１は、単体で用いられる通常使用時には、図１、図２に示すように、第１連結部１１と第２連結部１３とが連結されて紐状部１２は円環状態となっており、他の環状装身具１と連結される連結時には、紐状部１２の円環状態が解除されて、第２連結部１３が他の環状装身具１の第１連結部１１または第２連結部１３に連結される。
【００１５】
（環状装身具の連結）
次に、環状装身具による連結について説明する。環状装身具は、第１の連結方法または第２の連結方法によって、同一の構成を持つ他の環状装身具と連結される。図４は、第１の連結方法により連結された環状装身具を示す図である。図５は、第２の連結方法により連結された環状装身具を示す図である。
【００１６】
まず、第１の連結方法について説明する。この第１の連結方法によれば、図４に示すように、所定の環状装身具１Ａにおいて第１連結部１１との連結が解除された第２連結部１３が、他の環状装身具１Ｂにおいて第１連結部１１と連結された第２連結部１３と連結される。即ち、一人の人物が装着している環状装身具１Ａを他の人物が装着している環状装身具１Ｂと連結しようとするとき、環状装身具１Ａの第２連結部１３を環状装身具１Ｂの第２連結部１３と連結させる。なお、図４においては、環状装身具１Ａの第２連結部１３と他の環状装身具１Ｂの第２連結部１３とが連結されているが、環状装身具１Ａの第２連結部１３と環状装身具１Ｂの第１連結部１１が連結されても良い。つまり、環状装身具１Ａの第２連結部１３の連結面は、環状装身具１Ｂにおいて第１連結部１１と第２連結部１３との連結に用いられていない連結面と連結することが可能である。
【００１７】
次に、第２の連結方法について説明する。この第２の連結方法によれば、図５に示すように、環状装身具１Ａにおいて第１連結部１１との連結が解除された第２連結部１３が、環状装身具１Ｂにおいて第１連結部１１との連結が解除された第２連結部１３と連結される。この第２の連結方法によれば、環状装身具１の連結時に二名の人物の間の間隔を広くすることができる。
【００１８】
上述したように、本実施の形態に係る環状装身具によれば、同一の構成を持つ他の環状装身具と連結することができ、また、連結時にこれらの環状装身具の使用者は装着した状態を維持することができる。なお、本実施の形態において環状装身具としてブレスレットを想定したが、環状の装身具であれば、指輪やネックレスであっても良い。また、本実施の形態において、連結がマグネットによる磁気によりなされるものとしたが、これに代えて、形状結合、係止など、他の手段を用いて連結がなされても良い。
【００１９】
＜第２の実施形態＞
第１の実施形態に係る環状装身具は、第１連結部と第２連結部とを備えるものとしたが、第２の実施形態に係る環状装身具は更に第３連結部を備える。以下、第２の実施形態に係る環状装身具の構成について、図６、図７を参照して説明する。図６は、第２の実施形態に係る環状装身具の概略正面図である。図７は、第２の実施形態に係る環状装身具の概略側面図である。
【００２０】
図６、図７に示すように、第２の実施形態に係る環状装身具２は、環状部１０、第１連結部１１、紐状部１２、第２連結部１３を備え、更に、紐状部１４、第３連結部１５を備える。紐状部１４は紐状の部材であり、その一端が第２連結部１３に接続され、他端が第３連結部１５に接続される。第３連結部１５は、第１連結部１１、第２連結部１３と同様に、内部にマグネット１５１を内蔵し、マグネット１５１は、マグネット１１１、１３１と同様に、使用者の腕が通される挿通方向に磁極が向くように配される。よって、第３連結部１５はＮ極側に位置する第１連結面１５ａ、Ｓ極側に位置する第２連結部面１５ｂを有することとなる。したがって、第３連結部１５の第１連結面１５ａは第２連結部１３の第１連結面１３ａと連結可能となり、第３連結部１５の第２連結面１５ｂは第２連結部１３の第２連結面１３ｂと連結可能となる。
【００２１】
このような環状装身具２によれば、所定の環状装身具２において第１連結部１１と第２連結部１３との連結を解除し、更に第２連結部１３と第３連結部１５との連結を解除した状態において、他の環状装身具２と連結することができ、環状装身具１の連結と比較して、環状装身具２の連結時に二名の人物の間の間隔を更に広くすることができる。なお、第３連結部１５と同様に、更に複数の連結部を備えるようにしても良い。
【００２２】
本考案は、その要旨または主要な特徴から逸脱することなく、他の様々な形で実施することができる。そのため、前述の実施の形態は、あらゆる点で単なる例示に過ぎず、限定的に解釈してはならない。本考案の範囲は、実用新案登録請求の範囲によって示すものであって、明細書本文には、何ら拘束されない。更に、実用新案登録請求の範囲の均等範囲に属する全ての変形、様々な改良、代替および改質は、全て本考案の範囲内のものである。
【符号の説明】
【００２３】
１  環状装身具
１０  環状部
１１  第１連結部
１２  紐状部
１３  第２連結部
【図１】
0003197540.tif 000003
【図２】
0003197540.tif 000004
【図３】
0003197540.tif 000005
【図４】
0003197540.tif 000006
【図５】
0003197540.tif 000007
【図６】
0003197540.tif 000008
【図７】
0003197540.tif 000009